【手続補正書】
【提出日】平成25年4月26日(2013.4.26)
【手続補正１】
【補正対象書類名】特許請求の範囲
【補正対象項目名】全文
【補正方法】変更
【補正の内容】
【特許請求の範囲】
【請求項１】
複数の色剤を用いて画像を出力する画像形成装置において前記画像形成装置が出力する画像データの補正に用いられるパッチデータを前記複数の色剤を用いて印字することが可能な印字手段を有し、
前記複数の色剤から、前記印字手段によるパッチデータの印字に用いる色剤に対応する補正対象色を選択する選択手段と、
前記選択手段により前記複数の色剤の数よりも少ない数の色剤に対応する補正対象色が選択された場合、該選択された補正対象色に対応する色剤を用いて印字を行うパッチデータのパターンの配置を、前記印字手段によりパッチデータが印字される際に前記複数の色剤全てを用いて形成されるパッチデータのパターンの配置とは異なる配置に変更し、該パターンの配置が変更されたパッチデータを前記印字手段により印字させる変更手段と、
を有することを特徴とする画像形成装置。
【請求項２】
前記選択手段は、前記画像形成装置が用いる複数の色剤のうち使用許可と設定された色剤に対応する色を選択することを特徴とする請求項１に記載の画像形成装置。
【請求項３】
前記選択手段は前記画像形成装置が有する複数の色剤の残量を検知し、該色剤の残量が閾値より多いと検知された場合、該色剤に対応する色を選択することを特徴とする請求項１に記載の画像形成装置。
【請求項４】
前記変更手段は、前記補正の効率優先または前記補正の精度優先を選択することによりパッチデータのパターンを変更することを特徴とする請求項１に記載の画像形成装置。
【請求項５】
前記変更手段において効率優先が選択された場合、前記複数の色剤全てを用いて補正を行う場合に比べてパッチ数を減らす又は／及び前記複数の色剤を用いて補正を行う場合に比べて印字に用いる用紙が減るように、パッチパターンを変更することを特徴とする請求項４に記載の画像形成装置。
【請求項６】
前記変更手段において精度優先が選択された場合、前記複数の色剤全てを用いて補正を行う場合に比べてパッチ数を増やす又は／及び印字に用いる用紙において前記パッチの印字可能領域が増えるように、パッチパターンを変更することを特徴とする請求項４に記載の画像形成装置。
【請求項７】
前記変更手段において効率優先も精度優先も選択されなかった場合、該変更手段を実施せず、前記複数の色剤全てを用いて補正を行うことを特徴とする請求項４に記載の画像形成装置。
【請求項８】
ユーザーからの指示を受けるためのインタフェース手段を有し、
前記選択手段は前記インタフェース手段を介してユーザーから指定された色を選択することを特徴とする請求項１に記載の画像形成装置。
【請求項９】
ユーザーからの指示を受けるためのインタフェース手段を有し、
前記変更手段は前記インタフェース手段を介してユーザーから指定されたパッチパターンに変更することを特徴とする請求項１に記載の画像形成装置。
【請求項１０】
ユーザーからの指示を受けるためのインタフェース手段を有し、
前記選択手段は、各色剤の残量を検知し、該残量が閾値より多いと検知された色剤に対応する色、及び前記画像形成装置において予め使用を許可された色から、前記補正を行う色を選択することをユーザーに促すため、前記インタフェース手段における表示を制御することを特徴とする請求項１に記載の画像形成装置。
【請求項１１】
ユーザーからの指示を受けるためのインタフェース手段を有し、
前記変更手段は、前記画像形成装置において予め設定されたパッチパターンから、補正に用いるパッチパターンを選択することをユーザーに促すため、前記インタフェース手段における表示を制御することを特徴とする請求項１に記載の画像形成装置。
【請求項１２】
複数の色剤を用いて画像を出力する画像形成装置の制御方法において
前記画像形成装置が出力する画像データの補正に用いられるパッチデータを印字することが可能な印字ステップを有し、
前記印字ステップによるパッチデータの印字に用いる色剤に対応する補正対象色を選択する選択ステップと、
前記選択ステップにより前記複数の色剤の数よりも少ない数の色剤に対応する補正対象色が選択された場合、該選択された補正対象色に対応する色剤を用いて印字を行うパッチデータのパターンを変更し、該パターンの配置が変更されたパッチデータを前記印字ステップにより印字させる変更ステップとを有することを特徴とする画像形成装置の制御方法。
【請求項１３】
前記選択ステップは、前記画像形成装置が用いる複数の色剤のうち使用許可と設定された色剤に対応する色を選択することを特徴とする請求項１２に記載の画像形成装置の制御方法。
【請求項１４】
前記選択ステップは前記画像形成装置が有する複数の色剤の残量を検知し、該色剤の残量が閾値より多いと検知された場合、該色剤に対応する色を選択することを特徴とする請求項１２に記載の画像形成装置の制御方法。
【請求項１５】
前記変更ステップは、前記補正の効率優先または前記補正の精度優先を選択することによりパッチデータのパターンを変更することを特徴とする請求項１２に記載の画像形成装置の制御方法。
【請求項１６】
前記変更ステップにおいて効率優先が選択された場合、前記複数の色剤全てを用いて補正を行う場合に比べてパッチ数を減らす又は／及び前記複数の色剤を用いて補正を行う場合に比べて印字に用いる用紙が減るように、パッチパターンを変更することを特徴とする請求項１５に記載の画像形成装置の制御方法。
【請求項１７】
前記変更ステップにおいて精度優先が選択された場合、前記複数の色剤全てを用いて補正を行う場合に比べてパッチ数を増やす又は／及び印字に用いる用紙において前記パッチの印字可能領域が増えるように、パッチパターンを変更することを特徴とする請求項１５に記載の画像形成装置の制御方法。
【請求項１８】
前記変更ステップにおいて効率優先も精度優先も選択されなかった場合、該変更ステップを実施せず、前記複数の色剤全てを用いて補正を行うことを特徴とする請求項１５に記載の画像形成装置の制御方法。
【請求項１９】
ユーザーからの指示を受けるためのインタフェース手段を有し、
前記選択ステップは前記インタフェース手段を介してユーザーから指定された色を選択することを特徴とする請求項１２に記載の画像形成装置の制御方法。
【請求項２０】
ユーザーからの指示を受けるためのインタフェース手段を有し、
前記変更ステップは前記インタフェース手段を介してユーザーから指定されたパッチパターンに変更することを特徴とする請求項１２に記載の画像形成装置の制御方法。
【請求項２１】
ユーザーからの指示を受けるためのインタフェース手段を有し、
前記選択ステップは、各色剤の残量を検知し、該残量が閾値より多いと検知された色剤に対応する色、及び前記画像形成装置において予め使用を許可された色から、前記補正を行う色を選択することをユーザーに促すため、前記インタフェース手段における表示を制御することを特徴とする請求項１２に記載の画像形成装置の制御方法。
【請求項２２】
ユーザーからの指示を受けるためのインタフェース手段を有し、
前記変更ステップは、前記画像形成装置において予め設定されたパッチパターンから、補正に用いるパッチパターンを選択することをユーザーに促すため、前記インタフェース手段における表示を制御することを特徴とする請求項１２に記載の画像形成装置の制御方法。
【請求項２３】
コンピュータに請求項１２乃至２２に記載の方法を実行させるためのプログラム。
【手続補正２】
【補正対象書類名】明細書
【補正対象項目名】０００９
【補正方法】変更
【補正の内容】
【０００９】
この課題を解決するため例えば本発明の画像形成装置は、複数の色剤を用いて画像を出力し、前記画像形成装置が出力する画像データの補正に用いられるパッチデータを前記複数の色剤を用いて印字することが可能な印字手段を有し、
前記複数の色剤から、前記印字手段によるパッチデータの印字に用いる色剤に対応する補正対象色を選択する選択手段と、
前記選択手段により前記複数の色剤の数よりも少ない数の色剤に対応する補正対象色が選択された場合、該選択された補正対象色に対応する色剤を用いて印字を行うパッチデータのパターンの配置を、前記印字手段によりパッチデータが印字される際に前記複数の色剤全てを用いて形成されるパッチデータのパターンの配置とは異なる配置に変更し、該パターンの配置が変更されたパッチデータを前記印字手段により印字させる変更手段とを有することを特徴とする。